【手続補正書】
【提出日】平成18年4月21日(2006.4.21)
【手続補正１】
【補正対象書類名】明細書
【補正対象項目名】発明の名称
【補正方法】変更
【補正の内容】
【発明の名称】インクジェット記録装置および記録ヘッド
【手続補正２】
【補正対象書類名】明細書
【補正対象項目名】特許請求の範囲
【補正方法】変更
【補正の内容】
【特許請求の範囲】
【請求項１】  インクを吐出するための複数の吐出口が配列された記録ヘッドを記録媒体の単位領域に対して第１の回数だけ走査させて前記単位領域に対する記録を完成させる第１のマルチパス記録モードと、前記記録ヘッドを記録媒体の単位領域に対して前記第１の回数よりも多い第２の回数だけ走査させて前記単位領域に対する記録を完成させる第２のマルチパス記録モードとを実行可能なインクジェット記録装置であって、
実行されるマルチパス記録モードが前記第１のマルチパス記録モードか前記第２のマルチパス記録モードかに応じて、用いるマスクパターンを選択する選択手段を有し、
前記第２のマルチパス記録モードで用いるマスクパターンは、前記第１のマルチパス記録モードで用いるマスクパターンに比べて、前記吐出口の配列方向の中央部に位置する吐出口からの吐出頻度に対する前記配列方向の両端部に位置する吐出口からの吐出頻度の割合が小さいことを特徴とするインクジェット記録装置。
【請求項２】  インクを吐出するための複数の吐出口が配列された記録ヘッドを記録媒体の単位領域に対してN回走査させて前記単位領域に対する記録を完成させる第１のマルチパス記録モードと、前記記録ヘッドを記録媒体の単位領域に対して前記N回よりも多いM回走査させて前記単位領域に対する記録を完成させる第２のマルチパス記録モードとを実行可能なインクジェット記録装置であって、
実行されるマルチパス記録モードの種類に応じて、用いるマスクパターンを選択する選択手段を有し、
前記選択手段は、前記実行されるマルチパス記録モードの種類が前記第１のマルチパス記録モードの場合、前記吐出口の配列方向の両端部に位置する吐出口からの吐出頻度と前記配列方向の中央部に位置する吐出口からの吐出頻度を同じにするためのマスクパターンを選択し、前記実行されるマルチパス記録モードの種類が前記第２のマルチパス記録モードの場合、前記配列方向の両端部に位置する吐出口からの吐出頻度を前記配列方向の中央部に位置する吐出口からの吐出頻度よりも小さくするためのマスクパターンを選択することを特徴とするインクジェット記録装置。
【請求項３】  インクを吐出するための複数の吐出口が配列された記録ヘッドを記録媒体に対して走査させて記録を行うインクジェット記録装置であって、
速度よりも画質を重視する画質重視モードと、画質よりも速度を重視する速度重視モードを選択的に実行可能であって、
前記画質重視モードを実行する場合、前記吐出口の配列方向の両端部に位置する吐出口からの吐出頻度と前記配列方向の中央部に位置する吐出口からの吐出頻度を同じにするためのマスクパターンを使用し、
前記速度重視モードを実行する場合、前記配列方向の両端部に位置する吐出口からの吐出頻度を前記配列方向の中央部に位置する吐出口からの吐出頻度よりも小さくするためのマスクパターンを使用することを特徴とするインクジェット記録装置。
【請求項４】  インクを吐出するための複数の吐出口が配列された記録ヘッドを前記吐出口の配列方向と交差する方向に走査させて記録媒体に記録を行うインクジェット記録装置であって、
前記記録ヘッドの１回の走査における前記記録媒体の単位領域あたりのインク吐出可能回数が異なる複数の記録モードのうち、実行される記録モードの種類に基づいて、前記吐出口の配列方向の両端部に位置する吐出口からの前記インク吐出可能回数を変更することを特徴とするインクジェット記録装置。
【請求項５】  前記インク吐出可能回数の変更は、前記単位領域に対応するインク吐出データを各走査用のデータに分けるためのマスクパターンを変更することにより実行されることを特徴とする請求項４に記載のインクジェット記録装置。
【請求項６】  前記配列方向の両端部に位置する前記吐出口の配列間隔は、前記配列方向の中央部に位置する前記吐出口の配列間隔よりも広いことを特徴とする請求項１から請求項５のいずれかに記載のインクジェット記録装置。
【請求項７】  インクを吐出するための複数の吐出口が配列された記録ヘッドであって、
前記吐出口の配列方向の両端部に位置する前記吐出口の配列間隔が、前記配列方向の中央部に位置する前記吐出口の配列間隔よりも広く、且つ
前記配列方向の両端部に位置する前記吐出口の径が、前記配列方向の中央部に位置する前記吐出口の径よりも大きいことを特徴とする記録ヘッド。
【手続補正３】
【補正対象書類名】明細書
【補正対象項目名】００２８
【補正方法】変更
【補正の内容】
【００２８】
【課題を解決するための手段】
本発明のインクジェット記録装置は、インクを吐出するための複数の吐出口が配列された記録ヘッドを記録媒体の単位領域に対して第１の回数だけ走査させて前記単位領域に対する記録を完成させる第１のマルチパス記録モードと、前記記録ヘッドを記録媒体の単位領域に対して前記第１の回数よりも多い第２の回数だけ走査させて前記単位領域に対する記録を完成させる第２のマルチパス記録モードとを実行可能なインクジェット記録装置であって、実行されるマルチパス記録モードが前記第１のマルチパス記録モードか前記第２のマルチパス記録モードかに応じて、用いるマスクパターンを選択する選択手段を有し、前記第２のマルチパス記録モードで用いるマスクパターンは、前記第１のマルチパス記録モードで用いるマスクパターンに比べて、前記吐出口の配列方向の中央部に位置する吐出口からの吐出頻度に対する前記配列方向の両端部に位置する吐出口からの吐出頻度の割合が小さいことを特徴とする。
また、本発明のインクジェット記録装置は、インクを吐出するための複数の吐出口が配列された記録ヘッドを記録媒体の単位領域に対してN回走査させて前記単位領域に対する記録を完成させる第１のマルチパス記録モードと、前記記録ヘッドを記録媒体の単位領域に対して前記N回よりも多いM回走査させて前記単位領域に対する記録を完成させる第２のマルチパス記録モードとを実行可能なインクジェット記録装置であって、実行されるマルチパス記録モードの種類に応じて、用いるマスクパターンを選択する選択手段を有し、前記選択手段は、前記実行されるマルチパス記録モードの種類が前記第１のマルチパス記録モードの場合、前記吐出口の配列方向の両端部に位置する吐出口からの吐出頻度と前記配列方向の中央部に位置する吐出口からの吐出頻度を同じにするためのマスクパターンを選択し、前記実行されるマルチパス記録モードの種類が前記第２のマルチパス記録モードの場合、前記配列方向の両端部に位置する吐出口からの吐出頻度を前記配列方向の中央部に位置する吐出口からの吐出頻度よりも小さくするためのマスクパターンを選択することを特徴とする。
また、本発明のインクジェット記録装置は、インクを吐出するための複数の吐出口が配列された記録ヘッドを記録媒体に対して走査させて記録を行うインクジェット記録装置であって、速度よりも画質を重視する画質重視モードと、画質よりも速度を重視する速度重視モードを選択的に実行可能であって、前記画質重視モードを実行する場合、前記吐出口の配列方向の両端部に位置する吐出口からの吐出頻度と前記配列方向の中央部に位置する吐出口からの吐出頻度を同じにするためのマスクパターンを使用し、前記速度重視モードを実行する場合、前記配列方向の両端部に位置する吐出口からの吐出頻度を前記配列方向の中央部に位置する吐出口からの吐出頻度よりも小さくするためのマスクパターンを使用することを特徴とする。
また、本発明のインクジェット記録装置は、インクを吐出するための複数の吐出口が配列された記録ヘッドを前記吐出口の配列方向と交差する方向に走査させて記録媒体に記録を行うインクジェット記録装置であって、前記記録ヘッドの１回の走査における前記記録媒体の単位領域あたりのインク吐出可能回数が異なる複数の記録モードのうち、実行される記録モードの種類に基づいて、前記吐出口の配列方向の両端部に位置する吐出口からの前記インク吐出可能回数を変更することを特徴とする。
また、本発明の記録ヘッドは、インクを吐出するための複数の吐出口が配列された記録ヘッドであって、前記吐出口の配列方向の両端部に位置する前記吐出口の配列間隔が、前記配列方向の中央部に位置する前記吐出口の配列間隔よりも広く、且つ前記配列方向の両端部に位置する前記吐出口の径が、前記配列方向の中央部に位置する前記吐出口の径よりも大きいことを特徴とする。